(57)【特許請求の範囲】
【請求項１】
（ａ）次亜塩素酸アルカリ金属塩を０．１〜１０質量％と、
（ｂ）アルカリ剤を０．１〜５質量％と、
（ｃ）下記一般式（１）で表される第三級アミンオキサイドと、
【化１】
0004132915.tif 000007
〔一般式（１）中、Ｒ1は炭素数１２〜１８のアルキル基を表す。Ｒ2及びＲ3は、各々独立に、炭素数１〜３のアルキル基を表す。〕
（ｄ）ｎ−オクチル硫酸塩と、を含み、
前記（ｃ）成分と前記（ｄ）成分との含有比（ｃ：ｄ／質量比）が５：１〜８：１であり、
前記（ｃ）成分及び前記（ｄ）成分を全組成物中に０．５〜４質量％含有することを特徴とする漂白剤組成物。
【発明の詳細な説明】
【０００１】
【発明の属する技術分野】
本発明は漂白剤組成物に関し、より詳細には、増粘性、保存安定性、及び、粘度コントロール性に優れた漂白剤組成物に関する。
【０００２】
【従来の技術】
従来、次亜塩素酸アルカリ金属塩を主成分とする漂白剤組成物が多く知られており、浴室、浴槽、台所、配水管等の硬質表面に付着した汚れ、特にカビ等に起因する汚れの除去用途として広範囲に使用されている。
上記の如き漂白剤組成物は、適用される硬質表面が水平面に限らず垂直面、傾斜面など様々であることから、いかなる表面に適用された場合にも優れた漂白能を発揮させるために、対象となる汚れへの付着滞留性が要求されている。このような要求に応えるべく、種々の方法による系の増粘が試みられてきている。
例えば、特公平４−２５３１９号公報には次亜塩素酸アルカリ金属塩とアミンオキサイドとの混合物からなる漂白剤組成物が、米国特許第４２８２１０９号明細書には次亜塩素酸アルカリ金属塩と、アミンオキサイド（特に炭素数１０〜１８のアルキルアミンオキサイド）と、アルキル硫酸塩（特に２−エチルヘキシル硫酸塩）とを所定量含む漂白剤組成物、などが開示されている。
【０００３】
しかしながら、従来の技術では系の増粘性、保存安定性、及び粘度コントロール性が不充分であった。
特に、次亜塩素酸アルカリ金属塩を含む増粘された漂白剤組成物においては、長期間に亘る保存や高温下の保存により、粘度及び漂白性能が低下する場合があった。一方、漂白剤組成物を低温下に保存する場合には、白濁が生じたり、粘度が所定の範囲を越えてしまい流動性が著しく低下するといった問題があった。
また、併用される他の成分の選択如何によっては、増粘性や保存安定性に悪影響が生じることがあり、漂白性能、安全性、製品価値等の低下をもたらす場合もあった。
さらに、漂白剤組成物が適用される対象物の種類によっては、要求される粘度にある程度の幅があるのが通常である。
従って、これらの点から、組成物中の有効成分について大幅な変更をすることなく、優れた増粘性及び保存安定性を有し、かつ使用対象物の種類の違いに応じた粘度コントロールが可能な漂白剤組成物が望まれていた。
【０００４】
【発明が解決しようとする課題】
本発明は、前記従来における問題を解決し、以下の目的を達成することを課題とする。即ち、本発明は、増粘性、保存安定性、及び、粘度コントロール性に優れた漂白剤組成物を提供することを目的とする。
【０００５】
【課題を解決するための手段】
本発明者らは、前記問題を解決すべく鋭意検討を行った結果、次亜塩素酸アルカリ金属塩、アルカリ剤、特定のアミンオキサイド、及びｎ−オクチル硫酸塩を用いることにより、上記目的を達成しうることを見出し本発明を完成するに到った。
【０００６】
前記課題を解決する手段は以下の通りである。
＜１＞  （ａ）次亜塩素酸アルカリ金属塩を０．１〜１０質量％と、
（ｂ）アルカリ剤を０．１〜５質量％と、
（ｃ）下記一般式（１）で表される第三級アミンオキサイド（以下、適宜「特定のアミンオキサイド」と称する場合がある）と、
【０００７】
【化２】
0004132915.tif 000002
【０００８】
〔一般式（１）中、Ｒ1は炭素数１２〜１８のアルキル基を表す。Ｒ2及びＲ3は、各々独立に、炭素数１〜３のアルキル基を表す。〕
（ｄ）ｎ−オクチル硫酸塩と、を含み、
前記（ｃ）成分と前記（ｄ）成分との含有比（ｃ：ｄ／質量比）が５：１〜８：１であり、
前記（ｃ）成分及び前記（ｄ）成分を全組成物中に０．５〜４質量％含有することを特徴とする漂白剤組成物である。
【０００９】
【発明の実施の形態】
以下、本発明について詳細に説明する。先ず、本発明の特徴的な成分である「（ｃ）特定のアミンオキサイド」及び「（ｄ）ｎ−オクチル硫酸塩」について説明する。
【００１０】
〔（ｃ）特定のアミンオキサイド〕
本発明における（ｃ）成分である特定のアミンオキサイドは、下記一般式（１）で表される第三級アミンオキサイドである。
【００１１】
【化３】
0004132915.tif 000003
【００１２】
前記一般式（１）中、Ｒ1は炭素数１２〜１８のアルキル基を表す。Ｒ2及びＲ3は、各々独立に、炭素数１〜３のアルキル基を表す。
【００１３】
前記一般式（１）中、Ｒ1で表される炭素数１２〜１８のアルキル基として具体的には、ドデシル基、テトラデシル基、ヘキサデシル基、及びオクタデシル基、等が好ましく、テトラデシル基及びヘキサデシル基がより好ましい。
なお、合成適性に起因する場合、或いは、市販品を用いる場合等においては、他の第三級アミンオキサイドが不可避に含まれること、即ち、前記Ｒ1に相当するアルキル基が炭素数１２〜１８の範囲外であるものが含まれることがある。本発明においては、このような場合であっても、前記特定のアミンオキサイドが、後述する含有量及び含有比を満たすものであれば、そのような他の第三級アミンオキサイドが、組成物中に含まれていてもよい。
また、他の第三級アミンオキサイドが含まれる場合には、使用される第三級アミンオキサイド中の長鎖アルキル基（前記Ｒ1で表されるアルキル基及び前記Ｒ1に相当するアルキル基）の総数のうち、前記Ｒ1で表されるアルキル基が少なくとも８０％以上含まれていれば本発明の効果は発揮される。
【００１４】
前記一般式（１）中、Ｒ2及びＲ3で表される炭素数１〜３のアルキル基として具体的には、メチル基、エチル基、及びプロピル基、等が好ましく、メチル基が特に好ましい。
【００１５】
前記（ｃ）成分の具体例としては、例えば、ラウリルジメチルアミンオキサイド、ミリスチルジメチルアミンオキサイド、パルミチルジメチルアミンオキサイド、等が好適に挙げられる。
【００１６】
前記（ｃ）成分は、１種単独で用いてもよいし、２種以上を併用してもよい。また、漂白剤組成物中における前記（ｃ）成分の含有量としては、０．４〜３．６質量％の範囲が好ましく、０．７〜３．５質量％の範囲がより好ましい。
【００１７】
〔（ｄ）ｎ−オクチル硫酸塩〕
本発明における（ｄ）成分はｎ−オクチル硫酸塩であることを要する。特に、本発明においては、アルキル鎖長がｎ−オクチルである点が重要であり、これよりもアルキル鎖長が長い又は短いもの、或いは分岐鎖を有するものを用いた場合は、本発明の如き優れた効果を発揮させることはできない。
前記（ｄ）成分として、具体的には、ｎ−オクチル硫酸ナトリウムが挙げられ、市販品を用いる場合であれば、Ｐｏｌｙｓｔｅｐ Ｂ−２９（Ｓｔｅｐａｎ社（製））、Ｄｕｐｏｎｏｌ ８０（Ｗｉｔｃｏ社（製））、Ｓｔａｎｄａｐｏｌ ＬＦ（Ｈｅｎｋｅｌ社（製））等が挙げられる。
本発明においては、（ｄ）成分であるｎ−オクチル硫酸塩と、特定のアミンオキサイドである前記（ｃ）成分と、を組み合わせることにより、増粘性、保存安定性、粘度コントロール性に優れた漂白剤組成物を実現することが可能となる。
【００１８】
漂白剤組成物中における前記（ｄ）成分の含有量としては、０．０２〜１．３質量％の範囲が好ましく、０．１〜１．０質量％の範囲がより好ましい。
【００１９】
本発明においては、前記（ｃ）成分と前記（ｄ）成分との含有比（ｃ：ｄ／質量比）が、得られる粘度及びその保存安定性、並びに処方コストの観点から、５：１〜８：１である。
また、前記（ｃ）成分及び前記（ｄ）成分を全組成物中に０．５〜４質量％含有することを要し、付着滞留性及び保存安定性の観点からは、１．０〜３．５質量％含有することが好ましい。前記（ｃ）成分及び前記（ｄ）成分の含有量が０．５質量％未満であると付着滞留性が不足し、また、４質量％を超えると、保存安定性に悪影響を生じる。
【００２０】
次に、本発明の他の成分である「（ａ）次亜塩素酸アルカリ金属塩」及び「（ｂ）アルカリ剤」について説明する。
【００２１】
〔（ａ）次亜塩素酸アルカリ金属塩〕
本発明における（ａ）成分である次亜塩素酸アルカリ金属塩としては、具体的には次亜塩素酸ナトリウム、次亜塩素酸カリウム、等が好適に挙げら、これらの中でも、次亜塩素酸ナトリウムがより好ましい。
本発明の漂白剤組成物中に含有される前記（ａ）成分の含有量は、０．１〜１０質量％であり、１．０〜５．０質量％が好ましい。前記（ａ）成分の含有量が、０．１質量％未満であると漂白力が不足し、また、１０質量％を越える含有量は実用上必要とされない。
【００２２】
〔（ｂ）アルカリ剤〕
本発明における（ｂ）成分であるアルカリ剤としては、特に限定されないが、例えば、水酸化ナトリウム、水酸化カリウム、炭酸ナトリウム、及びケイ酸ナトリウム等が好適に挙げられる。これらの中でも、水酸化ナトリウムがより好ましい。
本発明の漂白剤組成物中に含有される前記（ｂ）成分の含有量は、０．１〜５質量％であり、０．５〜５．０質量％が好ましい。前記（ｂ）成分の含有量が、０．１質量％未満であると保存安定性が不足し、また、５質量％を越える含有量は実用上必要とされない。
【００２３】
〔その他〕
本発明においては、前記（ａ）〜（ｄ）成分を必須成分とするが、これ以外の他の成分についても、本発明の効果を損ねない範囲で必要に応じて添加することができる。
上記他の成分としては、例えば、前記（ｃ）成分及び（ｄ）成分以外の界面活性剤、キシレンスルホン酸塩等のビルダー、研磨剤、溶剤、香料、着色剤等が挙げられる。
【００２４】
本発明の漂白剤組成物の製造方法としては、特に限定されず、常法により、例えば、前記（ａ）〜（ｄ）成分及び必要に応じて添加される前記他の成分に対して、水をバランス量加えることにより調製することができる。
また、本発明の漂白剤組成物の粘度は、使用される対象物によっても異なるが、付着滞留性を充足し洗浄漂白力を向上させる観点からは、１０ｍＰａ・ｓ以上であることが好ましく、１００〜２００００ｍＰａ・ｓ程度がより好ましい。
【００２５】
本発明の漂白剤組成物の使用態様としては、特に限定されず、例えば、壁等の平面状の対象物であれば直接塗布する態様、排水管等の管状の対象物であれば管壁面に沿って流下させる態様、スプレーヤー等の吐出装置を用いて噴霧する態様、等が挙げられる。
本発明の漂白剤組成物は、増粘効果の発揮により、付着滞留性ひいては漂白洗浄力に優れることから、浴室、浴槽、台所、配水管等の住居廻りの硬質表面に付着した汚れ（カビ等による汚れ、等）に対し好適に適用することができる。また、長期間保存した場合であっても次亜塩素酸アルカリ金属塩の分解が低く抑えられ、さらに、低温下（０〜１０℃程度）での保存であっても、白濁、流動性の低下、等を生じないなどの優れた保存安定性を発揮することができる。
【００２６】
【実施例】
以下、本発明を実施例によって具体的に説明するが、本発明はこれらに限定されるものではない。
【００２７】
（実施例１、比較例１〜３）
表１に示される組成にて、実施例１、及び、比較例１〜３の各漂白剤組成物を調製した。製法の概要は以下の通りである。
適量の水に、水酸化ナトリウムを加え、さらにミリスチルジメチルアミンオキサイドを加え、充分に攪拌後、それぞれの例に用いられるアルキル硫酸ナトリウムを加え増粘させ、最後に次亜塩素酸ナトリウム及びトータルで１００％になるように水を加えた。
【００２８】
＜評価＞
上記にて得られた各漂白剤組成物について、増粘性、及び、保存安定性（ａ．次亜塩素酸ナトリウムの保存安定性、ｂ．低温下における保存安定性）を、評価した。評価方法及び評価基準は以下の通りである。評価結果は表１に併記する。
【００２９】
１．増粘性
増粘性は、調製後の各漂白剤組成物について、ブルックフィールド回転粘度計（ＤＶ−II型、ブルックフィールド社（製））を用い、２５℃、円筒スピンドル＃１を使用して、粘度（ｍＰａ・ｓ）を測定することにより評価した。
【００３０】
２．保存安定性
保存安定性については、各漂白剤組成物中に含有される次亜塩素酸ナトリウムの保存安定性と、各漂白剤組成物中の低温下における保存安定性とについて評価した。
【００３１】
ａ．次亜塩素酸ナトリウムの保存安定性
−評価方法−
調製後の各漂白剤組成物を、蓋付きの遮光性の良いポリエチレン容器に充填し、４０℃で２週間静置した後、有効塩素量を測定し、調製直後における有効塩素量の初期値に対する維持率（％）を算出することによって評価した。
−評価基準−
○  維持率が８５％を越えている
×  維持率が８５％以下である
【００３２】
ｂ．低温下における保存安定性
−評価方法−
調製後の各漂白剤組成物を、蓋付きの遮光性の良いポリエチレン容器に充填し、５℃で１昼夜静置保存した後、室温保存品（２０℃にて保存）と比較することにより評価した。
−評価基準−
○  全く変化がない
×  白濁又は著しく流動性をなくしている
【００３３】
【表１】
0004132915.tif 000004
【００３４】
（実施例２、比較例４〜６）
実施例１と同様にして、表２に示される組成にて、実施例２、及び、比較例４〜６の各漂白剤組成物を調製した。
得られた各漂白剤組成物について、実施例１と同様の評価を行った。なお、粘度測定には円筒スピンドル＃１に代えて、円筒スピンドル＃２を用いた。
評価結果を表２に併記する。
【００３５】
【表２】
0004132915.tif 000005
【００３６】
（実施例３、比較例７〜１２）
実施例１と同様にして、表３に示される組成にて、実施例３、及び、比較例７〜１２の各漂白剤組成物を調製した。
得られた各漂白剤組成物について、実施例１と同様の評価を行った。なお、粘度測定には円筒スピンドル＃１に代えて、円筒スピンドル＃４を用いた。
評価結果を表３に併記する。
【００３７】
【表３】
0004132915.tif 000006
【００３８】
表１〜３に示されるように、実施例１〜３の漂白剤組成物は、粘度、及び、各保存安定性において優れていることが確認された。特に、同一のアミンオキサイドを用いた系では、ｎ−オクチル硫酸塩を用いた実施例１〜３が、他のアルキル硫酸塩を用いたもの、及び、アミンオキサイドを単独で用いたものと比較した場合に、粘度及び保存安定性を優れていることが分かった。
また、ｎ−オクチル硫酸塩と組み合わされるアミンオキサイドを適宜選択することにより、粘度コントロールも容易であることが分かった。
さらに、比較例１０〜１２の結果からは、粘度及び保存安定性を発揮するためには、ｎ−オクチル硫酸塩及び特定のアミンオキサイドの含有比及び含有量は、本発明の範囲内であることが必要であると確認された。
【００３９】
【発明の効果】
本発明によれば、粘性、保存安定性、及び、粘度コントロール性に優れた漂白剤組成物を提供することができる。